(57)【要約】【課題】複数の表示部を備えた液晶表示パネルにおいて各表示部間の非表示部の色むらの発生および静電気による異常点灯の発生を防止する。【解決手段】セグメント電極３およびコモン電極４から電気的に独立して形成された独立ダミー電極１０を、反視認側の透明基板２ｂに設け、セグメント電極３とコモン電極４との交差部によって構成される各ドット１２の面積と同程度の大きさの面積に形成する。【選択図】            図１
2005049555.tif 000002
【特許請求の範囲】
【請求項１】
視認側および反視認側に位置する一対の基板を有し、複数の表示部が設けられ、前記両基板の相互に対向する面に、配線電極およびダミー電極がそれぞれ設けられている液晶表示パネルにおいて、
前記ダミー電極のうち電気的に独立して形成されている独立ダミー電極が、前記反視認側の基板の前記各表示部間の非表示部に設けられていることを特徴とする液晶表示パネル。
【請求項２】
前記独立ダミー電極が、前記視認側の基板に設けられた前記配線電極と前記反視認側の基板に設けられた前記配線電極との交差部によって構成される各ドットの面積と同程度の大きさの面積に形成されている請求項１に記載の液晶表示パネル。
【発明の詳細な説明】
【０００１】
【発明の属する技術分野】
本発明は、ドットマトリクス表示の液晶表示パネルに関し、さらに詳しくは、複数の表示部を備えている液晶表示パネルに関する。
【０００２】
【従来の技術】
一般に、中間に液晶を充填した一対の基板の所定の部分に、選択的に電界を与えて特定の図形や文字等の画像を表示するための液晶表示パネルが、コンピュータや携帯電話等の表示手段として多く用いられている。
【０００３】
このような液晶表示パネルにおいては、例えば視認側および反視認側に位置する一対の基板のうち視認側の基板における反視認側の基板と対向する面に配線電極としてコモン電極が設けられ、反視認側の基板における視認側の基板と対向する面に配線電極としてセグメント電極が設けられている。これらコモン電極およびセグメント電極の表面には、ラビング処理された配向膜が設けられており、この一対の基板は、前記一対の基板の相互に対向する面における周辺部に設けられたシール材により一体に形成され、このシール材に囲まれた面内には、液晶および複数のスペーサが封入されている。
【０００４】
また、前記視認側の基板におけるコモン電極が設けられていない非表示部分であって対向する反視認側の基板のセグメント電極と対向する部分には、前記コモン電極の形状とほぼ同一の形状に形成されセグメント電極と同電位となる同電位ダミー電極が設けられており、この同電位ダミー電極は、前記シール材を介してセグメント電極と導通されるようになっている。
【０００５】
さらに、前記視認側の基板におけるコモン電極が設けられていない非表示部分であって対向する反視認側の基板にセグメント電極が設けられている部分のうちシール材を介してセグメント電極と導通することができず前記同電位ダミー電極の形成が不可能な位置においては、電気的に独立して形成された独立ダミー電極が設けられている。
【０００６】
そして、この同電位ダミー電極および独立ダミー電極により前記各基板の間隙におけるギャップむらの発生を防止するとともに、前記同電位ダミー電極の電位をシール材を介して対向する基板の配線電極の電位と同電位とすることにより、同電位ダミー電極の帯電を防止して、配線電極と同電位ダミー電極との間における異常点灯の発生を防止していた。
【０００７】
【発明が解決しようとする課題】
しかし、前記液晶表示パネルを表示手段として種々の電子機器に実装して使用する際、前記各電子機器の表示部保護カバーが摩擦されると、前記液晶表示パネルのうち表示部保護カバーに近い視認側の基板は、前記摩擦により発生する静電気の影響を強く受けることとなる。
【０００８】
ここで、複数の表示部が設けられている液晶表示パネルにおいては、視認側の基板の表示部と表示部の間の非表示部に独立ダミー電極を設けた場合、配線電極等に電気的に接続されていないため前記静電気により帯電する可能性が高く、前記独立ダミー電極と前記配線電極との間において異常点灯が発生するおそれがあるという問題を有していた。
【０００９】
一方、前記液晶表示パネルにおいて各表示部間の非表示部に独立ダミー電極を設けない場合には、前記一対の基板の間隙においてギャップむらが生じてしまうおそれがあり、このような場合には、各表示部間の非表示部分において色むらが発生したり、前記配線電極の配線パターンが表示画面を介して見えてしまうおそれがあり、良好な表示を行うことができないという問題を有している。
【００１０】
本発明はこれらの点に鑑みてなされたものであり、複数の表示部を備えた液晶表示パネルにおいて、各表示部間の非表示部の色むらの発生および静電気による異常点灯の発生を防止することができる液晶表示パネルを提供することを目的とする。
【００１１】
【課題を解決するための手段】
前記目的を達成するため、請求項１に記載の発明に係る液晶表示パネルの特徴は、視認側および反視認側に位置する一対の基板を有し、複数の表示部が設けられ、前記両基板の相互に対向する面に、配線電極およびダミー電極が設けられている液晶表示パネルにおいて、前記ダミー電極のうち電気的に独立して形成された独立ダミー電極が前記反視認側の基板の前記各表示部間の非表示部に設けられている点にある。
【００１２】
この請求項１に記載の発明によれば、複数の表示部を備えた液晶表示パネルを表示手段として電子機器に実装して利用する場合において、前記電子機器の表示部保護カバーが摩擦されることにより静電気が発生した場合であっても、独立ダミー電極は反視認側の基板に設けられており前記表示部保護カバーから離れているので、前記静電気の影響を受けにくくなる。このため、前記独立ダミー電極が前記静電気により帯電してしまうのを防止することができる。
【００１３】
また、請求項２に記載の発明に係る液晶表示パネルの特徴は、前記独立ダミー電極が、前記視認側の基板に設けられた前記配線電極と前記反視認側の基板に設けられた前記配線電極との交差部によって構成される各ドットの面積と同程度の大きさの面積に形成されている点にある。
【００１４】
この請求項２に記載の発明によれば、独立ダミー電極が各ドットの面積と同程度の大きさの面積となるように形成されており、前記各独立ダミー電極における開口率と前記各ドットの開口率をほぼ同じくすることができるので、前記配線電極に電界が与えられていない状態において、前記各ドットと前記各独立ダミー電極とを透過する光の量をほぼ同じくすることができる。
【００１５】
【発明の実施の形態】
以下、本発明に係る液晶表示パネルの実施形態を図１から図３を参照して説明する。
【００１６】
図１は、本実施形態に係る液晶表示パネルを示す模式的断面図である。図１に示すように、前記液晶表示パネル１は、ガラス等からなる一対の透明基板２ａ，２ｂのうち視認側の透明基板２ａにおける内側に、表示用電極としてセグメント電極３が設けられており、反視認側の透明基板２ｂにおける内側には、表示用電極としてコモン電極４が設けられている。
【００１７】
前記セグメント電極３および前記コモン電極４の対向する表面には、それぞれラビング処理が施された配向膜（図示せず）が設けられており、この一対の透明基板２ａ、２ｂは、該透明基板２ａ、２ｂの周辺部に設けられた導電粒子５を含むシール材６により一体に形成され、このシール材６に囲まれた面内には、液晶７および複数のスペーサ（図示せず）が封入されている。
【００１８】
また、前記反視認側の透明基板２ｂにおける前記コモン電極４が形成されていない非表示部分１７であって対向する視認側の透明基板２ａに前記セグメント電極３が設けられている部分には、セグメント電極３と同電位となる同電位ダミー電極９が設けられている。この同電位ダミー電極９は、前記シール材６の導電粒子５を介して前記セグメント電極３と導通されるようになっている。
【００１９】
さらに、前記反視認側の透明基板２ｂにおける各表示部１５の間で文字や図形等の表示に用いられない非表示部１６であって前記同電位ダミー電極９、１１の形成が不可能な位置においては、前記セグメント電極３および前記コモン電極４から電気的に独立して形成された独立ダミー電極１０が設けられている。
【００２０】
前記独立ダミー電極１０の図２における横寸法は、対向するセグメント電極３の長手方向に直交する方向の幅寸法とほぼ同じ寸法であり、独立ダミー電極１０の縦寸法は近接するコモン電極４の長手方向に直交する方向の幅寸法とほぼ同じ寸法である。すなわち、前記セグメント電極３および前記コモン電極４の交差部によって構成される各ドット１２の大きさおよび形状とほぼ同じ大きさおよび形状となるように形成されている。これにより、前記独立ダミー電極１０から液晶７および対向するセグメント電極３を介して照射光を視認側に透過させる際の各独立ダミー電極１０における開口率を、周辺の各ドット１２における開口率とほぼ同じくすることができる。
【００２１】
なお、前記独立ダミー電極１０を前記各ドット１２の形状とほぼ同じ形状に形成することができない位置に設ける場合には、例えば、図３に示すように、独立ダミー電極の横寸法は、対向するセグメント電極３の長手方向に直交する方向の幅寸法とほぼ同じ寸法とし、前記各ドット１２の面積と同程度の面積となるような大きさに形成してもよい。これによっても、前記各独立ダミー電極１０における開口率を周辺の各ドット１２における開口率とほぼ同じくすることができる。
【００２２】
次に、本実施形態の作用について説明する。
【００２３】
本実施形態によれば、前記液晶表示パネル１を表示手段として携帯電話等の電子機器に実装して利用する場合において、前記電子機器の表示部保護カバーが摩擦されることにより静電気が発生した場合であっても、前記独立ダミー電極１０は反視認側の透明基板２ｂに設けられており前記表示部保護カバーから離れているので、前記静電気の影響を受けにくくなる。このため、前記独立ダミー電極１０が前記静電気により帯電してしまうのを防止することができる。
【００２４】
したがって、本液晶表示パネル１においては、前記独立ダミー電極１０が前記静電気により帯電してしまうのを防止することができるので、前記独立ダミー電極１０と対向する配線電極との間において大きな電位差が生じて異常点灯してしまうことを防止することができる。
【００２５】
また、前記配線電極に対向するように前記独立ダミー電極１０を設けることにより、両透明基板２ａ、２ｂの間隙にギャップむらが発生してしまうのを防止し、色むらが生じてしまうのを防止することができる。さらに、前記独立ダミー電極１０を設けることにより、前記セグメント電極３の配線パターンが表示画面を介して見えてしまうという現象も防止することができる。これにより、本液晶表示パネルは、高品質で良好な表示を行うことができる。
【００２６】
また、本実施形態においては前記独立ダミー電極１０が周辺の各ドット１２の形状とほぼ同じ形状となるように形成されており、前記各独立ダミー電極１０における開口率と前記各ドット１２の開口率をほぼ同じくすることができるので、前記配線電極等に電界が与えられていない状態において、前記各ドット１２と前記各独立ダミー電極１０とを透過する光の量をほぼ同じくすることができる。これにより、前記液晶表示パネル１は、各独立ダミー電極１０の配置位置に相当する部分の色彩を周辺の各ドットの色彩とほぼ同じくすることができ、色むらのない良好な表示を行うことができる。
【００２７】
なお、本発明は前記実施形態に限定されるものではなく、必要に応じて種々変更することが可能である。
【００２８】
例えば、本実施形態においては視認側の基板のセグメント電極に対向するように反視認側の基板に独立ダミー電極が設けられているが、これに限定されるものではなく、視認側の基板にコモン電極が形成されている場合は、コモン電極と対向するように独立ダミー電極が反視認側の基板に設けられていればよい。
【００２９】
【発明の効果】
以上述べたように、請求項１に記載の発明に係る液晶表示パネルによれば、独立ダミー電極が静電気により帯電してしまうのを防止することができるので、前記独立ダミー電極と対向する配線電極との間において大きな電位差が生じて異常点灯してしまうことを防止することができる。また、配線電極に対向するように独立ダミー電極を設けることにより、両基板の間隙にギャップむらが発生してしまうのを防止し、色むらが生じてしまうのを防止することができる。さらに、独立ダミー電極を設けることにより、配線電極の配線パターンが表示画面を介して見えてしまうという現象も防止することができる。これにより、本液晶表示パネルによれば、高品質で良好な表示を行うことができる。
【００３０】
また、請求項２に記載の発明に係る液晶表示パネルによれば、各ドットと各独立ダミー電極とを透過する光の量をほぼ同じくすることができるので、各独立ダミー電極の配置位置に相当する部分の色彩を周辺の各ドットの色彩とほぼ同じくすることができ、色むらのない良好な表示を行うことができる。
【図面の簡単な説明】
【図１】本発明に係る液晶表示パネルの液晶表示パネルを示す模式的断面図
【図２】本発明に係る液晶表示パネルに形成された独立ダミー電極を示す拡大図
【図３】本発明に係る他の液晶表示パネルに形成された独立ダミー電極を示す拡大図
【符号の説明】
１  液晶表示パネル
２ａ、２ｂ  透明基板
３  セグメント電極
４  コモン電極
５  導電粒子
６  シール材
７  液晶
９、１１  同電位ダミー電極
１０  独立ダミー電極
１２  ドット
【図１】
2005049555.tif 000003
【図２】
2005049555.tif 000004
【図３】
2005049555.tif 000005